(57)【要約】【課題】組み立てが容易で、故障したデバイスを交換し、輝度および照射範囲を増加させるモジュール化ＬＥＤ蛍光灯を提供する。【解決手段】ガラス管１０、発光モジュール２０、ガラス管１０の両側に嵌合される基板３０、接続カバー４０および外部カバー５０を含む。基板３０および接続カバー４０を嵌合した二つの外部カバー５０が、それぞれガラス管１０の二つの端部に被せられると、基板３０、接続カバー４０および外部カバー５０がガラス管１０の両側に固定される。この時、基板３０の第２の接続端部３２が発光モジュール２０の第１の接続端部２２に嵌挿し、ＬＥＤ蛍光灯の組み立てが完成する。モジュール化構造により、組み立てが簡単で、組み立て時間を節約することができる。また、あるデバイスが故障した場合、そのデバイス自体を交換するだけでよいため、使用コストを節約するだけでなく、エコ概念も有する。【選択図】図１
0003198996.tif 000002
【実用新案登録請求の範囲】
【請求項１】
透光性の良好な材料からなる円形管体であり、内側壁に二つの突起を有し、両側の下端縁に嵌合穴を有するガラス管と、
フレームの下部に配置され、複数のＬＥＤが順番に配列されてなるチップセットであり、前端および後端に接点が外側に向かった第１の接続端部がそれぞれ配設され、前記フレームの両側が前記ガラス管の内側壁の前記二つの突起の上端に挿入されると、前記フレームとともに前記ガラス管内に配置される発光モジュールと、
電子回路基盤であり、導電端子および第２の接続端部を備え、前記ガラス管の両側に嵌合される基板と、
一端に二つの穴を備え、前記導電端子を貫通させて前記基板を嵌合させる接続カバーと、
階段状の円形の筒であり、端部に二つの穴を備え、前記接続カバーを収納し、前記基板の前記導電端子が前記穴を貫通する外部カバーと、を含み、
前記基板および前記接続カバーを嵌合した前記二つの外部カバーが、それぞれ前記ガラス管の二つの端部に被せられると、前記基板、前記接続カバーおよび前記外部カバーが前記ガラス管の両側に固定され、この時、前記基板の前記第２の接続端部が前記発光モジュールの前記第１の接続端部に嵌挿し、ＬＥＤ蛍光灯が組み立てられることを特徴とするモジュール化ＬＥＤ蛍光灯。
【請求項２】
前記ガラス管は、両側の下端縁に嵌合穴を有し、前記接続カバーは末端に嵌合部を有するツメを下端に延伸するように一体成形しているため、前記基板および前記接続カバーを嵌合した前記外部カバーが、それぞれ前記ガラス管の二つの端部に被せられると、前記接続カバーの前記ツメの前記嵌合部が前記ガラス管の前記嵌合穴と嵌合し、前記基板、前記接続カバーおよび前記外部カバーが前記ガラス管の両側に固定されることを特徴とする請求項１に記載のモジュール化ＬＥＤ蛍光灯。
【請求項３】
前記発光モジュールの前記フレームは、アルミニウムをプレスしてなる長片で、下方へ向かって延伸するハの字型の反射片を両側に設けているため、支持および放熱を補強するだけでなく、光源光を反射し、増光する作用があることを特徴とする請求項１に記載のモジュール化ＬＥＤ蛍光灯。
【考案の詳細な説明】
【技術分野】
【０００１】
本考案は、ＬＥＤ蛍光灯に関し、特に、モジュール化設計され、組み立てが容易なモジュール化ＬＥＤ蛍光灯に関する。
【背景技術】
【０００２】
テクノロジーの発展には目覚しいものがあり、様々なＬＥＤ用具が考案されている。ＬＥＤを用いた蛍光灯は、電力消費が少なく、十分な輝度を有するため、従来の蛍光灯に取って代わる勢いである。従来の蛍光灯は、ガラス管、基板、ＬＥＤモジュール、および二つの導電カバーを含む。基板は、ＬＥＤモジュールを固着して接続し、接合後にガラス管内に挿入される。組み立てにおいては、まず、ＬＥＤモジュールを基板上に半田付けし、基板をガラス管内に挿入して配置する。次に、基板と二つの導電カバーとの間を、リード線を半田付けすることにより電気的に接続させる。最後に、導電カバーをガラス管両側に嵌合させて固定する。以上のような配置により、外部電源の電力が二つの導電カバー、リード線を介して基板の作用を経てＬＥＤモジュールを発光させ、照明効果を達成することができる。しかしながら、従来のＬＥＤ蛍光灯は、組み立て工程が煩雑であり、何度も半田付けを行う必要があり、組み立て時間を増加させていた。また、基板、ＬＥＤモジュールなどのデバイス間は、半田付けにより固着されていたため、あるデバイスが損傷しても単独での交換が不能で、蛍光灯全体を破棄するしかなかった。そのため、使用コストを増加させるだけで、エコ概念に乏しく、改善する必要があった。
先行技術文献としては、複数のＬＥＤ基板を長手方向に接続してなるＬＥＤモジュールをバックライトチューブ内にその内部に配設した挿入ガイドに沿って挿入するＬＥＤ照明器具が開示されている(例えば特許文献１参照)。
【先行技術文献】
【特許文献】
【０００３】
【特許文献１】特開２００８−２１８１６０号公報
【考案の概要】
【考案が解決しようとする課題】
【０００４】
本考案の目的は、組み立てが容易で、故障したデバイスを交換し、輝度および照射範囲を増加させることができるモジュール化ＬＥＤ蛍光灯を提供することにある。
【課題を解決するための手段】
【０００５】
上述の目的を達成するため、本考案のモジュール化ＬＥＤ蛍光灯は、透光性の良好な材料からなる円形管体であり、内側壁に二つの突起を有し、両側の下端縁に嵌合穴を有するガラス管と、フレームの下部に配置され、複数のＬＥＤが順番に配列されてなるチップセットであり、前端および後端に接点が外側に向かった第１の接続端部がそれぞれ配設され、前記フレームの両側が前記ガラス管の内側壁の前記二つの突起の上端に挿入されると、前記フレームとともに前記ガラス管内に配置される発光モジュールと、電子回路基盤であり、導電端子および第２の接続端部を備え、前記ガラス管の両側に嵌合される基板と、一端に二つの穴を備え、前記導電端子を貫通させて前記基板を嵌合させる接続カバーと、階段状の円形の筒であり、端部に二つの穴を備え、前記接続カバーを収納し、前記基板の前記導電端子が前記穴を貫通する外部カバーと、を含み、前記基板および前記接続カバーを嵌合した前記二つの外部カバーが、それぞれ前記ガラス管の二つの端部に被せられると、前記基板、前記接続カバーおよび前記外部カバーが前記ガラス管の両側に固定され、この時、前記基板の前記第２の接続端部が前記発光モジュールの前記第１の接続端部に嵌挿し、ＬＥＤ蛍光灯が組み立てられる。
【考案の効果】
【０００６】
本考案のモジュール化ＬＥＤ蛍光灯は、ガラス管、発光モジュール、ガラス管の両側に嵌合される基板、接続カバーおよび外部カバーの組み合わせにより結合して一体となるモジュール化構造により、組み立てが簡単で、組み立て時間を節約することができる。あるデバイスが故障した場合、そのデバイス自体のみを交換するだけでよく、ＬＥＤ蛍光灯全体を交換する必要がなく、ユーザーの使用コストを節約するだけでなく、エコ概念も有する。フレームは、好適な放熱性を有するため、発光モジュールの発生した熱量を放熱して温度を下げることにより、ＬＥＤが高温で輝度が落ちたり、基板が焼損したりするのを防ぎ、ＬＥＤ蛍光灯の寿命を延長させることができる。また、フレームは、反射片を両側に設けているため、ＬＥＤが発光すると、反射片が光源光を反射し、増光効果を生み出し、ＬＥＤ蛍光灯の照明効果を高めることができる。
【図面の簡単な説明】
【０００７】
【図１】本考案の一実施形態によるモジュール化ＬＥＤ蛍光灯を示す分解斜視図である。
【図２】本考案の同実施形態によるモジュール化ＬＥＤ蛍光灯を示す断面図である。
【図３】図２のＩ−Ｉ面の断面図である。
【考案を実施するための形態】
【０００８】
以下、本考案の実施形態を図面に基づいて説明する。
【０００９】
図１〜３を参照する。図１は、本考案の一実施形態によるモジュール化ＬＥＤ蛍光灯を示す分解斜視図である。図２は、本考案の同実施形態によるモジュール化ＬＥＤ蛍光灯を示す断面図である。図３は、図２のＩ−Ｉ面の断面図である。図１〜３に示すように、本考案のモジュール化ＬＥＤ蛍光灯は、ガラス管１０、発光モジュール２０、ガラス管１０の両側に嵌合される基板３０、接続カバー４０および外部カバー５０からなる。
【００１０】
ガラス管１０は、透光性の良好な材料からなる円形管体であり、内側壁に二つの突起１１を有し、両側の下端縁に嵌合穴１２を有する。
【００１１】
発光モジュール２０は、複数のＬＥＤ２１が順番に配列されてなるチップセットであり、前端および後端に接点が外側に向かった第１の接続端部２２がそれぞれ配設されている。また、発光モジュール２０は、フレーム２３の下部に配置されている。フレーム２３は、アルミニウムをプレスしてなる長片で、下方へ向かって延伸するハの字型の反射片２４を両側に設けている。これにより、フレーム２３は、発光モジュール２０を付着させ、図３に示すようにフレームの両側をガラス管１０の内側壁の二つの突起１１の上端に挿入し、フレーム２３および発光モジュール２０をガラス管１０内に配置することができる。
【００１２】
フレーム２３は、アルミニウムをプレスしてなる長片であるため、好適な強度および放熱性を有する。
【００１３】
基板３０は、変圧および整流などの回路を有する基盤であり、導電端子３１および第２の接続端部３２を設けている。
【００１４】
接続カバー４０は、一端に二つの穴４１を設け、導電端子３１を貫通させて基板３０を嵌合させる。接続カバー４０は、末端に嵌合部４３を有するツメ４２を下端に延伸するように一体成形している。
【００１５】
外部カバー５０は、階段状の円形の筒であり、端部に二つの穴５１を設け、接続カバー４０を収納する。基板３０の導電端子３１は、穴５１を貫通する。
【００１６】
以上のように、基板３０が接続カバー４０内に配置され、接続カバー４０も外部カバー５０内に配置されることにより、基板３０の導電端子３１が穴４１および穴５１から外部に突出する。
【００１７】
上記した本考案の構造により、基板３０および接続カバー４０を嵌合した外部カバー５０は、それぞれガラス管１０の二つの端部に被せられると、接続カバー４０のツメ４２の嵌合部４３がガラス管１０の嵌合穴１２と嵌合し、基板３０、接続カバー４０および外部カバー５０がガラス管１０の両側に固定される。この時、基板３０の第２の接続端部３２が発光モジュール２０の第１の接続端部２２に枢接し、ＬＥＤ蛍光灯の組み立てが完成する。
【００１８】
ガラス管１０、発光モジュール２０、ガラス管１０の両側に嵌合される基板３０、接続カバー４０および外部カバー５０は、組み合わせにより結合して一体となるモジュール化構造により、組み立てが簡単で、組み立て時間を節約することができる。また、あるデバイスが故障した場合、そのデバイス自体のみを交換するだけでよく、ＬＥＤ蛍光灯全体を交換する必要がなく、ユーザーの使用コストを節約するだけでなく、エコ概念も有する。
【００１９】
発光モジュール２０が固着するフレーム２３は、アルミニウムをプレスしてなる長片であり、好適な強度を有するため、ガラス管１０のサイズが長かった場合、支持を補強する作用があり、ＬＥＤ蛍光灯が長すぎることにより変形するのを避けることができる。また、フレーム２３は、好適な放熱性も有するため、発光モジュール２０の発生した熱量を熱交換し放熱して温度を下げることにより、ＬＥＤ２１が高温で輝度が落ちたり、基板３０が焼損したりするのを防ぎ、ＬＥＤ蛍光灯の寿命を延長させることができる。
【００２０】
発光モジュール２０の固着するフレーム２３は、下方へ向かって延伸するハの字型の反射片２４を両側に設けているため、発光モジュール２０のＬＥＤ２１が発光すると、反射片２４が光源光を反射し、増光効果を生み出し、ＬＥＤ蛍光灯の照明効果を高めることができる。
【００２１】
本考案のモジュール化ＬＥＤ蛍光灯は、デバイス同士をハンダ付けしていないため、デバイス故障時の交換が容易であると共に、デバイス配列上において金属露出という短所がなく、組み立て時および操作時に感電するおそれがない。そのため、安全性を向上させることができる。
【００２２】
本考案では好適な実施形態を前述の通りに開示したが、これらは決して本考案を限定するものではなく、当該技術を熟知する者は誰でも、本考案の精神と領域を脱しない範囲内で各種の変更や修正を加えることができる。従って、本考案の保護の範囲は、実用新案請求の範囲で指定した内容を基準とする。
【符号の説明】
【００２３】
１０  ガラス管
１１  突起
１２  嵌合穴
２０  発光モジュール
２１  ＬＥＤ
２２  第１の接続端部
２３  フレーム
２４  反射片
３０  基板
３１  導電端子
３２  第２の接続端部
４０  接続カバー
４１  穴
４２  ツメ
４３  嵌合部
５０  外部カバー
５１  穴
【図１】
0003198996.tif 000003
【図２】
0003198996.tif 000004
【図３】
0003198996.tif 000005